(57)【要約】【課題】高い視覚効果を有する表示体及び情報印刷物を提供すること。【解決手段】情報印刷物１に設けられる表示体１２は、光の入射方向に対して傾斜する傾斜面７１を有する成形層２１と、傾斜面７１に設けられた、光を反射する反射層２２と、成形層２１及び反射層２２に積層され、入射方向に対して直交する主面を有し、空気よりも高い屈折率を有する材料により構成される被覆層２３と、を備える構成とする。【選択図】      図４
2017161872.tif 000002
【特許請求の範囲】
【請求項１】
光の入射方向に対して傾斜する傾斜面を有する成形層と、
前記傾斜面に設けられた、前記光を反射する反射層と、
前記成形層及び前記反射層に積層され、前記入射方向に対して直交する主面を有し、空気よりも高い屈折率を有する材料により構成される被覆層と、
を備えることを特徴とする表示体。
【請求項２】
前記成形層は、前記傾斜面を有する複数の突起部を備え、
前記被覆層は、複数の前記突起部の間に構成される溝に設けられることを特徴とする請求項１に記載の表示体。
【請求項３】
前記複数の突起部の前記傾斜面は、２以上の異なる傾斜角度に構成されることを特徴とする請求項２に記載の表示体。
【請求項４】
前記突起部は、前記傾斜面及び前記入射方向に沿った垂直面により構成されていることを特徴とする請求項２に記載の表示体。
【請求項５】
前記複数の突起部は、表示する情報の形状に配置され、同一の高さであって、且つ、異なる傾斜角度に構成された前記傾斜面を有することを特徴とする請求項２に記載の表示体。
【請求項６】
前記複数の突起部は、同一の高さであって、且つ、同一の傾斜角度に構成された前記傾斜面を有し、
前記被覆層は、表示する情報の形状に設けられた第１被覆層と、前記第１被覆層の周囲に設けられ、前記第１被覆層と異なる屈折率を有する第２被覆層と、を備えることを特徴とする請求項２に記載の表示体。
【請求項７】
前記被覆層は、前記溝の高さ方向において、異なる屈折率を有する材料により構成されることを特徴とする請求項２に記載の表示体。
【請求項８】
前記傾斜面は曲面により構成されることを特徴とする請求項１に記載の表示体。
【請求項９】
請求項１乃至請求項８のいずれか１項に記載された表示体と、
前記表示体が一部又は全部に貼付されるか、又は、一体に設けられる基部と、
を備えることを特徴とする情報印刷物。
【発明の詳細な説明】
【技術分野】
【０００１】
本発明は、偽造防止効果や装飾効果を有する表示体及び情報印刷物に関する。
【背景技術】
【０００２】
従来、文字又は図柄が表示された情報印刷物の主面の一部や、情報印刷物に貼付される表示体にマイクロ文字、特殊発光インキ、すかし、ホログラム、回折格子等の視覚効果を持たせる技術が知られている。
【０００３】
ホログラムや回析格子を用いる技術は容易に模倣できないため、従来から偽造防止手段に用いられている。例えば、偽造防止手段として、有価証券類、クレジットカード、パスポート、免許証、身分証、紙幣に貼付される表示体に情報をホログラムや回析格子により表示して偽造防止効果を持たせる技術が知られている（例えば、特許文献１参照）。
【０００４】
また、ホログラムや回析行使を用いる技術は、その装飾効果の高さから、従来から装飾効果を高めるためにデザインに用いられている。例えば、トレーディングカード等のデザインの一部または全部にホログラムや回析行使の技術を用いて、絵柄に高い視覚効果を持たせる技術が知られている。
【先行技術文献】
【特許文献】
【０００５】
【特許文献１】特開２００３−２９５７４４号公報
【発明の概要】
【発明が解決しようとする課題】
【０００６】
しかしながら、技術の発展に伴う回折格子やホログラムの製造技術の向上により、同様の視覚効果を有するホログラムや回析格子を偽造することが容易になってきているため、ホログラムや回析格子を用いた偽造防止手段の偽造防止効果が低下してきている。
【０００７】
また、当該製造技術の向上により、ホログラムや回析格子をデザインに用いる技術が多用されていることから、さらに高いデザイン性を付すことで他のデザインとの差別化が可能な技術が求められてきている。
【０００８】
これらのように、表示体及び情報印刷物に高い視覚効果を用いる技術が求められている。
【０００９】
そこで、本発明は、高い視覚効果を有する表示体及び情報印刷物を提供することを目的とする。
【課題を解決するための手段】
【００１０】
前記課題を解決し目的を達成するために、本発明の表示体及び情報印刷物は、次のように構成されている。
【００１１】
本発明の一態様として、表示体は、光の入射方向に対して傾斜する傾斜面を有する成形層と、前記傾斜面に設けられた、前記光を反射する反射層と、前記成形層及び前記反射層に積層され、前記入射方向に対して直交する主面を有し、空気よりも高い屈折率を有する材料により構成される被覆層と、を備える。
【００１２】
本発明の一態様として、情報印刷物は、上記一態様の表示体と、前記表示体が一部又は全部に貼付されるか、又は、一体に設けられる基部と、を備える。
【発明の効果】
【００１３】
本発明によれば、高い視覚効果を有する表示体及び情報印刷物を提供することができる。
【図面の簡単な説明】
【００１４】
【図１】図１は、本発明の第１の実施形態に係る情報印刷物の構成を示す平面図である。
【図２】図２は、同情報印刷物に設けられた表示体を示す平面図である。
【図３】図３は、同表示体の要部の構成を示す平面図である。
【図４】図４は、同表示体の要部の構成を示す断面図である。
【図５】図５は、同表示体における光の反射挙動を模式的に示す説明図である。
【図６】図６は、本発明の第２の実施形態に係る表示体を示す平面図である。
【図７】図７は、同表示体の要部の構成を示す断面図である。
【図８】図８は、本発明の第３の実施形態に係る表示体を示す断面図である。
【図９】図９は、本発明の第４の実施形態に係る表示体を示す平面図である。
【図１０】図１０は、同表示体の要部の構成を示す断面図である。
【図１１】図１１は、本発明の第５の実施形態に係る表示体を示す断面図である。
【図１２】図１２は、同表示体の光の反射挙動を示す説明図である。
【図１３】図１３は、本発明の第６の実施形態に係る表示体を示す断面図である。
【図１４】図１４は、同表示体の光の反射挙動を示す説明図である。
【発明を実施するための形態】
【００１５】
（第１の実施形態）
以下、本発明に係る第１の実施形態について図１乃至図５を用いて説明する。  
図１は、第１の実施形態に係る情報印刷物１の構成を示す平面図であり、図２は、情報印刷物１に設けられた表示体１２を示す平面図であり、図３は、図１に示す表示体１２の部分Ｐを拡大した構成を示す平面図であり、図４は、表示体１２を図２中のＩＶ―ＩＶ線断面で示す断面図であり、図５は、成形層２１における光の反射挙動を模式的に示す説明図である。
【００１６】
図１に示すように情報印刷物１は、肉薄に形成された矩形状のカード類であり、例えば、クレジットカード、キャッシュカード、ＩＤカード、パスポート、小切手等の有価証券類又はトレーディングカードである。
【００１７】
図１に示すように、情報印刷物１は、基部であるカード部１１と、カード部１１の一方の主面３１の一部に貼付される表示体１２と、を備える。
【００１８】
カード部１１は、２つの主面の一方の面、又は両方の面に情報Ｓが印刷されている。ここで、カード部１１に印刷される情報Ｓとは、標章、デザイン、文章等であり、文字、記号、色彩等により構成される。
【００１９】
カード部１１の材料は、プラスチック等の樹脂材料、厚紙等の紙材料、又はこれらの樹脂材料及び紙材料を組み合わせたものにより構成される。例えば、情報印刷物１がクレジットカードである場合には、カード部１１は、プラスチック等の樹脂材料で構成される。また、情報印刷物１がトレーディングカードである場合には、カード部１１は、厚紙等の紙材料で構成される。
【００２０】
図２に示すように、表示体１２は、光の反射方向を制御することにより、例えば、部分的に情報Ｓとは異なった見え方をするものである。即ち、表示体１２は、一方の主面の全部、又は一部に特別な視覚効果を有する部分を備える。
【００２１】
ここで、特別な視覚効果とは、光の反射方向を制御することにより、視認される画像の全部又は一部の見え方を、例えば、立体的、平面的又は色彩的に異ならせることである。
【００２２】
表示体１２は、シート状、例えば肉薄の方形状に構成される。  
図４に示すように、表示体１２は、異なる複数の層が一体に積層されることで構成される。例えば、表示体１２は、成形層２１と、成形層２１の一方の主面に構成される反射層２２と、成形層２１及び反射層２２を覆う被覆層２３と、成形層２１の他方の主面に設けられる接着層２４とを有する。
【００２３】
成形層２１は、非成形部４２と、非成形部４２に一体に設けられた成形部４３と、を備えている。成形層２１は、主面が平坦な膜状に形成された樹脂材料からなる基材の一方の主面を切削加工又はレーザー描画機を用いた加工により成形部４３を成形することで、非成形部４２及び成形部４３が構成される。
【００２４】
成形層２１の材料としては、ポリエチレンテレフタレート、ポリエチレンナフタレート、ポリカーボネイト、酢酸セルロース、酢酸酪酸セルロース、酢酸プロピオン酸セルロース、ニトロセルロース、ポリエチレン、ポリプロピレン、アクリルスチレン共重合体、塩化ビニル、ポリメタクリル酸メチル等の熱可塑性樹脂やポリイミド、ポリアミド、ポリエステルウレタン、アクリルウレタン、エポキシウレタン、シリコーン、エポキシ、メラミン樹脂等の熱硬化性樹脂、及び紫外線又は電子線硬化性の、各種アクリルモノマー、エポキシアクリレート、ウレタンアクリレート、ポリエステルアクリレート等のオリゴマー、アクリル基やメタクリル基等を有するアクリルやエポキシ及びセルロース系樹脂等の反応性ポリマーである。
【００２５】
成形層２１は、例えば、上記に示した材料から選択される２種類の材料を組み合わせることもできる。また、例えば、上記に示した材料から２種類以上を選択して組み合わせた構成としてもよい。
【００２６】
非成形部４２は、膜状に形成された基材のうち、成形部４３以外の部位である。即ち、基材の成形されていない部位である。
【００２７】
成形部４３は、長手方向が一方向に延設される傾斜面７１を有する複数の突起部５１を備える。成形部４３は、膜状の基材の一方の主面の一部に上述の加工によって複数の溝７３を形成することにより、傾斜面７１を有する複数の突起部５１が構成される。成形部４３は、表示したい情報Ｔの形状に複数の突起部５１が配置される。図１に示すように、例えば、本実施形態において、成形部４３は、Ｔ字形状に複数の突起部５１が配置されることで表示する情報Ｔの形状を構成する。成形部４３は、図４に示すように、溝７３を構成する複数の突起部５１により鋸波形状の断面を有する。
【００２８】
突起部５１は、軸方向が非成形部４２の主面に沿った姿勢で、一方向に延びる三角柱状に形成される。基材を厚み方向の途中まで溝７３を加工することにより形成される突起部５１は、当該基材の厚み方向の途中から加工されていない非成形部４２と連続して一体に設けられる。突起部５１は、非成形部４２に一体に設けられることで、軸方向に沿った二つの外面を有する。突起部５１は、三角柱状の軸方向に沿った、２つの外面の一が傾斜面７１により構成される。また、突起部５１は、当該２つの外面の他が軸方向及び非成形部４２の主面に直交する方向に沿った垂直面７２により構成される。換言すると、突起部５１は、成形層２１へ入射する光Ｌ１の入射方向に対して傾斜する傾斜面７１と、当該光Ｌ１の入射方向に沿った垂直面７２と、により外面が構成される。また、突起部５１は、軸方向と直交する方向に並列に複数配置される。
【００２９】
これらのように、成形部４３は、複数の突起部５１を有することで、隣り合う突起部５１の一方の突起部５１の傾斜面７１と他方の突起部５１の垂直面７２とにより構成される溝７３を複数有する。即ち、成形部４３は、隣り合う突起部５１の間に構成された溝７３により、傾斜面７１に向かう光の入射路及び傾斜面からの光の出射路を構成する。
【００３０】
本実施形態における、成形部４３の一例を図１及び図２の部分Ｐを用いて説明する。ここで、部分Ｐは、情報Ｔを構成する成形部４３の所定の領域である。なお、情報Ｔは、例えば、視覚効果の違いにより区分けされる複数の画素Ｕの集合により構成される。例えば、画素Ｕは、異なる傾斜面７１の傾斜角度又は異なる溝７３の幅に構成される。
【００３１】
例えば、図３及び図４に示すように、部分Ｐにおける成形部４３は、傾斜角度及び傾斜方向が異なり、同一の高さを有する複数の突起部５１を備えている。換言すると、部分Ｐにおける成形部４３は、深さが同じであって、突起部５１の軸方向で見た形状が異なる複数の溝７３を有する。
【００３２】
具体的には、成形部４３は、複数の第１突起部５１Ａを有する第１領域１０１、複数の第２突起部５１Ｂを有する第２領域１０２、複数の第３突起部５１Ｃを有する第３領域１０３、複数の第４突起部５１Ｄを有する第４領域１０４を構成する。
【００３３】
即ち、成形部４３は、隣り合う第１突起部５１Ａの間に設けられた複数の第１溝７３Ａと、隣り合う第２突起部５１Ｂの間に設けられた複数の第２溝７３Ｂと、隣り合う第３突起部５１Ｃの間に設けられた複数の第３溝７３Ｃと、隣り合う第４突起部５１Ｄの間に設けられた複数の第４溝７３Ｄと、を構成する。
【００３４】
なお、これら第１領域１０１、第２領域１０２、第３領域１０３及び第４領域１０４は、複数の突起部５１が配置される方向に順次配置される。
【００３５】
これら第１領域１０１、第２領域１０２、第３領域１０３及び第４領域１０４は、突起部５１の傾斜角度及び傾斜方向により区分された領域である。
【００３６】
第１突起部５１Ａは、第１傾斜面７１Ａを有する。第２突起部５１Ｂは、第１傾斜面７１Ａと傾斜方向が同じであって、且つ、傾斜角度が異なる第２傾斜面７１Ｂを有する。
【００３７】
第３突起部５１Ｃは、第２傾斜面７１Ｂと傾斜方向が異なり、且つ、傾斜角度が同じ第３傾斜面７１Ｃを有する。第４突起部５１Ｄは、第３傾斜面７１Ｃと傾斜方向が同じであって、且つ、傾斜角度が異なる第４傾斜面７１Ｄを有する。ここで、第１突起部５１Ａ及び第２突起部５１Ｂと第３突起部５１Ｃ及び第４突起部５１Ｄとの傾斜方向は、光の入射方向に沿って第２突起部５１Ｂ及び第３突起部５１Ｃの領域を通過する線を中心軸とした場合における当該中心軸に線対称に構成される。なお、同じ傾斜角度で傾斜方向が異なる傾斜面とは、換言すると、一方の傾斜面７１が他方の傾斜面７１と対称形状となるように、一方の傾斜角度に対して他方の傾斜面の傾斜角度が異なることである。
【００３８】
例えば、第１溝７３Ａの幅、換言すると隣り合う第１突起部５１Ａの頂部間の距離は、２０μｍに構成される。第２溝７３Ｂの幅は、３０μｍに構成される。第３溝７３Ｃの幅は、第２溝７３Ｂの幅と同じ３０μｍに構成される。第４溝７３Ｄの幅は、第１溝７３Ａの幅と同じ２０μｍに構成される。なお、これら溝７３の幅は、求められる視覚効果によって適宜設定される。例えば、溝７３の幅は、視認される画像の色に影響を及ぼし、例えば、溝７３の幅を３μｍ程度に構成することで回折光が射出されることから、反射する光により視認される情報Ｔの色彩に虹色の光が求められる場合には、当該幅に溝７３が設定される。また、虹色の光が所望されない場合には、溝７３の幅を長くすると回析光が生じないことから、溝７３の幅を３μｍより大きく設定すればよい。なお、成形部４３においては、虹色の光を求めない例として、上記幅が設定されている。このように、溝７３の間の長さは、所望される視覚効果に応じて適宜設定及び調整される。
【００３９】
反射層２２は、傾斜面７１に入射した光を反射するために、成形層２１の材料よりも反射率の高い材料により構成される。反射層２２は、図４に示すように、傾斜面７１の全体に設けられる。反射層２２の材料は、所定の反射率を有していれば、透明又は不透明の材料のどちらの材料を用いることもできる。本実施形態において、反射層２２は、不透明の材料により構成される。ここで、不透明な反射材の材料とは、可視光に対して透過率が５％以下の材料のことであり、例えば、アルミニウム、銀、錫、クロム、ニッケル、銅、金、及びこれらの合金を含む金属材料である。
【００４０】
反射層２２は、例えば、真空蒸着法、スパッタリング法等の金属又は酸化チタンや硫化亜鉛等の酸化物を用いた真空製膜法により形成することができる。
【００４１】
被覆層２３は、空気よりも大きな屈折率を有することで、溝７３に入射された光の光路長を被覆層２３が設けられていない場合に同光路上に入射された光の光路長と異ならせることが可能に構成される。ここで、溝７３における光路長とは、被覆層２３の屈折率ｎに溝７３の深さＨ１を乗じたものである。
【００４２】
被覆層２３は、一種類の高屈折率を有する材料からなる単層構造、又は複数の異なる高屈折率を有する材料を重ねて配置した多層構造により構成される。ここで、高屈折率を有する材料とは、屈折率が１．６以上の材料である。
【００４３】
また、被覆層２３は、成形層２１及び反射層２２を覆う透明または半透明の層であって、成形層２１及び反射層２２と接していない側の主面が平面に構成される層である。
【００４４】
ここで、被覆層２３における透明とは可視光に対して９５％以上透過することであり、また、半透明とは、可視光に対して７０％以上透過することである。例えば、被覆層２３は、例えば、チオウレタン系の樹脂材料により構成された、単層構造により構成される。
【００４５】
被覆層２３は、例えば、凹版印刷等の印刷技術を用いて成形層２１及び反射層２２を覆うように膜状に形成される。
【００４６】
接着層２４は、非成形部４２の他方の主面に設けられ、表示体１２をカード部１１に接着するための材料により構成される。接着層２４は、カード部１１に表示体１２を貼付することができれば、単層構造又は多層構造とすることも可能である。即ち、接着層２４は、表示体１２及びカード部１１の材料や接着表面の平滑性等を考慮して適宜設定される。例えば、接着層２４は、単層構造に構成される。
【００４７】
次に、本実施形態に係る表示体１２の光の反射挙動について図４及び図５を用いて説明する。なお、図４及び図５において、観察者が表示体１２を被覆層２３側の主面を正面視した状態における光の反射挙動について説明する。また、以下の説明においては、反射層２２に入射する光のうち表示体１２の主面に対して垂直に入射する光の一部のみを用いて説明する。
【００４８】
図４に示すように、光Ｌ１は、被覆層２３を透過し、成形部４３の溝７３を通り反射層２２に入射される。ここで、成形層２１及び反射層２２は被覆層２３で覆われていることから、反射層２２で反射された光Ｌ２は、被覆層２３で覆われていないときに反射される光Ｌ３と異なる方向に反射される。
【００４９】
具体的には、溝部７３の屈折率が１である場合、即ち、空気が溝部７３に存在する場合又は空気と同程度の屈折率の材料で溝部７３被覆されている場合には、反射層２２で反射する光Ｌ３は、２点鎖線で示す方向に向かって反射する。
【００５０】
これに対して、被覆層２３が溝部７３に設けられている場合には、反射層２２で反射する光Ｌ２は、反射方向が変化する。このように、被覆層２３により反射層２２で反射した光Ｌ２の反射方向は、屈折率が１である場合における傾斜面７１の傾斜角度と異なる傾斜面７４で反射した反射方向と同じとなる。
【００５１】
即ち、溝７３は、高屈折材料である被覆層２３の特性により、溝７３の幅は同じであり、且つ、溝７３の深さが疑似的に深くなる。換言すると、被覆層２３の特性により、傾斜面７１を有する突起部５１の形状が、突起部５１と幅が同じで、且つ、高さが突起部５１よりもＨ２だけ高い突起部５２が成形部４３に設けられていることに疑似的になる。
【００５２】
これにより、傾斜面７１と垂直面７２とがなす角度をθ１とし、被覆層２３の特性により疑似的に表される傾斜面７４と垂直面７２とがなす角度をθ２が異なることから、反射層２２で反射する光Ｌ２の反射方向を異ならせることが可能となる。これにより、観察者が視認した溝７３の深さは、疑似的に深く視認される。例えば、屈折率が１．６の高屈折材料で埋められた深さ５μｍの溝は、疑似的に深さ８μｍの深さの溝として認識される。
【００５３】
この結果、実際の傾斜面７１で反射した光Ｌ３の反射方向によって観察者が視認する成形部４３の立体的な形状に比べ、表示体１２の成形部４３の立体的な形状は、さらに高さのある立体として視認される。
【００５４】
また成形部４３を用いた表示体１２は、例えば、部分Ｐにおいて、第１傾斜面７１Ａ、第２傾斜面７１Ｂ、第３傾斜面７１Ｃ、または、第４傾斜面７１Ｄをそれぞれ、傾斜角度又は傾斜方向を異ならせることで、第２傾斜面７１Ｂ及び第３傾斜面７１Ｃにおいて最も高くなるような立体的な形状を表すことができる。
【００５５】
これにより、表示体１２は、成形層２１の成形部４３に形成された複数の傾斜面７１により視認される立体的に表現される画像について被覆層２３を設けていない場合よりも、さらに立体的に表現することができる。
【００５６】
このように構成された情報印刷物１によれば、表示体１２の被覆層２３に高屈折材料を用い、成形層２１を覆う構成であることから、光の反射方向を制御することで立体的な視覚効果を得る場合に、実際の溝７３よりも深い溝７３で反射したときに生じる視覚効果を得ることができる。
【００５７】
また、このような情報印刷物１に用いられる表示体１２は、被覆層２３により成形層２１及び反射層２２が覆われることから、傾斜面７１の傾斜角度を知ることが困難である。よって、第三者が成形部４３を偽造することが困難となる。また、上述したように立体的に表示される効果が向上することから、デザイン性が向上するとともに、偽造品との見分けが容易となる。これらのように、情報印刷物１に用いられる表示体１２は、アイキャッチ効果を生じると共に、高い偽造防止効果を備え、容易に肉眼により偽造の真偽判定が可能となる。
【００５８】
また、表示体１２は、成形層２１及び反射層２２を被覆層２３で覆う構成により、成形層２１及び反射層２２を汚れや傷から保護することができ、長期間に亘って特別な視覚効果を維持できる。即ち、表示体１２は、流通過程における成形層２１の損傷を防止し、寿命を向上することができる。
【００５９】
上述したように本発明の第１の実施形態に係る表示体１２を用いた情報印刷物１は、高い視覚効果を有し、偽造の防止、偽造の真偽判定の容易化、寿命の向上、及び、デザイン性の向上が可能となる。
【００６０】
（第２の実施形態）
以下、本発明に係る第２の実施形態について図６及び図７を用いて説明する。  
図６は、第２の実施形態に係る情報印刷物１に用いられる表示体１２Ａの構成を示す平面図であり、図７は、表示体１２Ａの構成を示す断面図である。なお、第２の実施形態に係る表示体１２Ａの構成のうち、第１の実施形態に係る表示体１２と同様の構成には、同一符号を付し、その詳細な説明は省略する。
【００６１】
図６及び図７に示すように表示体１２Ａは、情報印刷物１のカード部１１上に貼付される。  
図７に示すように、表示体１２Ａは、成形層２１Ａと、成形層２１Ａの一方の主面に構成される反射層２２と、成形層２１Ａ及び反射層２２を覆う被覆層２３と、成形層２１Ａの他方の主面に設けられる接着層２４とを有する。
【００６２】
成形層２１Ａは、カード部１１の主面３１に接着層２４を介して接着される。  
成形層２１Ａは、主面が平坦な膜状に形成された樹脂材料からなる基材の一方の主面を切削加工又はレーザー描画機を用いた加工により成形部４３を成形することで、成形部４３Ａが構成される。成形層２１Ａは、上述した成形層２１と同様の材料により構成される。
【００６３】
成形部４３Ａは、その表面に、光の入射方向に対して接線が傾斜する所定の曲率を有する複数の曲面８１Ａを有する。例えば、成形部４３Ａは、膜状の基材の一方の主面の一部に上述の加工によって複数の同心円状の溝８３を形成することにより、曲面８１Ａを有する複数の突起部６１が構成される。図６に示すように、例えば、本実施形態において、成形部４３Ａは、径が異なり、且つ、同一の曲率半径の外面を有する円環状の突起部６１が複数配置されることで構成される。
【００６４】
より具体的説明すると、突起部６１は、成形層２１へ入射する光Ｌ４の入射方向に対して所定の曲率で傾斜する曲面８１Ａと、光の入射方向に沿った垂直面８２により外面が構成される。このような成形部４３Ａは、いわゆるフレネルレンズ形状を呈している。
【００６５】
複数の突起部６１の曲面８１Ａは、曲率Ｒ１が同一に構成されていてもよく、異なる曲率Ｒ１としてもよい。反射層２２は、成形層２１Ａの曲面８１Ａの全面に設けられる。被覆層２３は、成形層２１Ａ及び反射層２２上に設けられ、その主面が光の入射方向に対して直交する方向に延設する主面を有する。
【００６６】
このように構成された表示体１２Ａは、上述した表示体１２と同様に、被覆層２３によって、入射した光を曲面８１Ａに設けられた反射層２２で反射した光の出射方向と異なる出射方向とすることが可能となる。
【００６７】
具体的に説明すると、表示体１２Ａは、入射した光が曲面８１Ａの反射層２２で反射されるとき、当該光Ｌ４は、当該曲面８１Ａの接線に対して反射する。このとき、光Ｌ４は、被覆層２３により屈折することから、図７に二点鎖線で示す曲面８１Ａ２に設けられた反射層２２で反射された反射方向と同一の方向に反射する。
【００６８】
換言すると、光路長は、屈折率ｎと曲面８１Ａの高さＨの積（ｎ×Ｈ）となることから、成形層２１Ａは、曲率Ｒ２の曲面８１Ａ２を有する形状、即ち、曲面８１Ａの高さがｎ倍となる形状に視認することが可能となる。よって、曲面８１Ａの高さが大きく視認できることから、表示体１２Ａは、立体感を強調することが可能となる。
【００６９】
このように、表示体１２Ａは、成形層２１Ａに設けられた突起部６１の曲面８１Ａにおける反射強度比の違いによって立体的な球面状に観察される。また、表示体１２Ａは、被覆層２３の屈折率を制御することで、視認される球面状の立体の高さを疑似的に高くすること、及び、当該高さを制御することが可能となる。
【００７０】
（第３の実施形態）
以下、本発明に係る第３の実施形態について図８を用いて説明する。  
図８は、第３の実施形態に係る情報印刷物１に用いられる表示体１２Ｂの構成を示す断面図である。なお、第３の実施形態に係る表示体１２Ｂの構成のうち、第１の実施形態に係る表示体１２及び第２の実施形態に係る表示体１２Ａと同様の構成には、同一符号を付し、その詳細な説明は省略する。
【００７１】
図８に示すように表示体１２Ｂは、情報印刷物１のカード部１１上に貼付される。  
図８に示すように、表示体１２Ｂは、成形層２１Ｂと、成形層２１Ｂの一方の主面に構成される反射層２２と、成形層２１Ｂ及び反射層２２を覆う被覆層２３と、成形層２１Ｂの他方の主面に設けられる接着層２４とを有する。
【００７２】
成形層２１Ｂは、カード部１１の主面３１に接着層２４を介して接着される。  
成形層２１Ｂは、主面が所定の曲率で湾曲するドーム状に形成された樹脂材料により構成される。即ち、成形層２１Ｂは、その表面に、光の入射方向に対して接線が傾斜する所定の曲率の曲面８１Ｂを有している。成形層２１Ｂは、上述した成形層２１、２１Ａと同様の材料により構成される。
【００７３】
曲面８１Ｂは、その外面の接線が光の入射方向に対して傾斜する曲面である。なお、曲面８１Ｂは、その曲率Ｒ１を適宜設定可能である。また、曲面８１Ｂは、異なる複数の曲率を有する曲面であってもよい。
【００７４】
反射層２２は、図８に示すように、成形層２１Ｂの曲面８１Ｂの全面に設けられる。  
被覆層２３は、成形層２１Ｂ及び反射層２２上に設けられ、その主面が光の入射方向に対して直交する方向に延設する主面を有する。
【００７５】
このように構成された表示体１２Ｂは、上述した表示体１２と同様に、被覆層２３によって、入射した光Ｌ４を曲面８１Ｂに設けられた反射層２２で反射した二点鎖線で示す光の出射方向と異なる、実線で示す出射方向にすることが可能となる。
【００７６】
具体的に説明すると、表示体１２Ｂは、入射した光が曲面８１Ｂの反射層２２で反射されるとき、当該光は、当該曲面８１Ｂの接線に対して反射する。このとき、光は、被覆層２３により屈折することから、図８に二点鎖線で示す曲面８１Ｂ２に設けられた反射層２２で反射された反射方向と同一の方向に反射する。
【００７７】
換言すると、曲面８１Ｂにおける光路長は、屈折率ｎと曲面８１Ｂの高さＨの積となることから、成形層２１Ｂは、曲率Ｒ２の曲面８１Ｂ２を有する形状、即ち、曲面８１Ｂの高さがｎ倍となる形状に視認することが可能となる。よって、視認される曲面８１Ｂの高さは、実際の曲面８１Ｂの高さよりも高い形状で視認されることとなり、表示体１２は、立体感を強調することが可能となる。
【００７８】
このように、表示体１２Ｂは、被覆層２３の屈折率を制御することで、厚さ以上の高さを疑似的に得ること、及び、当該高さを制御することが可能となる。
【００７９】
（第４の実施形態）
以下、本発明に係る第４の実施形態について図９及び図１０を用いて説明する。  
図９は、第４の実施形態に係る情報印刷物１に用いられる表示体１２Ｃの構成を示す平面図であり、図１０は、表示体１２Ｃを図９中、Ｘ−Ｘ線断面で示す断面図である。なお、第４の実施形態に係る表示体１２Ｃの構成のうち、第１の実施形態に係る表示体１２と同様の構成には、同一符号を付し、その詳細な説明は省略する。
【００８０】
図１０に示すように、表示体１２Ｃは、方形のシート状に構成される。図１０に示す表示体１２Ｃは、成形層２１Ｃと、成形層２１Ｃの一方の主面に構成される反射層２２と、成形層２１Ｃ及び反射層２２を覆う被覆層２３Ｃと、成形層２１Ｃの他方の主面に設けられる接着層２４とを有する。
【００８１】
成形層２１Ｃは、その表面に同一の傾斜角度に構成された複数の傾斜面７１を有する複数の突起部５１を備えている。換言すると、成形層２１Ｃは、その一方の主面側の全面に亘って成形部４３Ｃが設けられる。成形層２１Ｃは、上述した成形層２１と同様の材料により構成される。
【００８２】
複数の突起部５１は、同一の高さに構成される。例えば、複数の突起部５１は、主面が平坦な膜状に形成された樹脂材料からなる基材の一方の主面を切削加工又はレーザー描画機を用いた加工により構成される。
【００８３】
突起部５１は、表示体１２Ｃの一対の外縁間に亘って設けられる。複数の突起部５１は、傾斜面７１の傾斜方向が同一方向となる形状で並列に設けられる。
【００８４】
被覆層２３Ｃは、成形層２１Ｃ及び反射層２２上を覆う。被覆層２３Ｃは、入射された光の光路長と空気中を通過する光の光路長とを異ならせ、光路差を生じさせて、疑似的な距離感を観察者に与えることが可能に構成される。
【００８５】
被覆層２３Ｃは、所定の屈折率を有し、且つ、透明または半透明な材料により構成される。被覆層２３Ｃの主面は、面方向が光の入射方向に対して直交する方向に延設する平坦状に構成される。
【００８６】
被覆層２３Ｃは、表示体１２Ｃで表示する情報Ｖの形状に外縁が形成された第１被覆層２３ａと、表示体１２Ｃで表示する情報Ｖの形状に内縁が形成された第２被覆層２３ｂと、を備えている。
【００８７】
第１被覆層２３ａ及び第２被覆層２３ｂは、異なる屈折率を有する材料により構成される。また、第１被覆層２３ａ及び第２被覆層２３ｂは、その境界が一体に接続される。
【００８８】
このように屈折率の異なる高屈折材料により複数の突起部５１を覆うことにより、第１被覆層２３ａにより覆われた部分と第２被覆層２３ｂにより覆われた部分とで、複数の突起部５１の間の溝７３の深さが疑似的に異なる。
【００８９】
複数の溝７３の幅は一定であることから、第１被覆層２３ａの領域と、第２被覆層２３ｂの領域とにおいて、傾斜面７１の傾斜角度が、疑似的に異なることになる。結果、第１被覆層２３ａと第２被覆層２３ｂおいて、被覆層２３Ｃの主面に対して垂直方向から光がそれぞれ入射した場合、第１被覆層２３ａの領域と、第２被覆層２３ｂの領域とにおいて、反射層２２で反射された光の反射方向がそれぞれ異なる。
【００９０】
これにより、表示体１２Ｃは、第１被覆層２３ａが設けられた領域、即ち、情報Ｖが記された部分を０値となり、第２被覆層２３ｂが設けられた領域、即ち情報Ｖの周囲が１値となり、二値画像で情報Ｖを表示することが可能となる。
【００９１】
例えば、第１被覆層２３ａと第２被覆層２３ｂとの屈折率差が０．０５であって、溝７３の深さが５μｍで溝７３の間の間隔が３０μｍの場合を用いた場合には、溝７３の深さの差は疑似的に０．２５μｍとなり、傾斜面７１の傾斜角度の差は０．２８度となる。
【００９２】
これにより、表示体１２Ｃを観察する距離を４００ｍｍと規定し、その距離から表示体を観察した場合には、第１被覆層２３ａ及び第２被覆層２３ｂを透過し、それぞれの傾斜面７１の全面に設けられた反射層２２で反射した２つの光は、２ｍｍ離れて観察されることとなる。
【００９３】
ここで、人間の瞳孔の大きさは明るい環境下においては２ｍｍであることから、観察者は、これら２つの反射光を分離して視認することが可能である。このため、表示体１２は、二値画像として、情報Ｖを識別することができる。
（第５の実施形態）
以下、本発明に係る第５の実施形態について図１１及び図１２を用いて説明する。  
図１１は、第５の実施形態に係る表示体１２Ｄの各層の構成を示す断面図である。図１２は、図１１に示す表示体１２Ｄにおける光の反射挙動を説明する説明図である。なお、第５の実施形態に係る表示体１２Ｄの構成のうち、第１の実施形態に係る表示体１２と同様の構成には、同一符号を付し、その詳細な説明は省略する。
【００９４】
図１１に示すように、表示体１２Ｄは、方形のシート状に構成される。表示体１２Ｄは、成形層２１Ｄと、成形層２１Ｄの一方の主面に構成される反射層２２と、成形層２１Ｄ及び反射層２２を覆う被覆層２３Ｄと、成形層２１Ｄの他方の主面に設けられる接着層２４とを有する。
【００９５】
成形層２１Ｄは、その表面に同一の傾斜角度に構成された複数の傾斜面７１を有する複数の突起部５１を備えている。なお、成形層２１Ｄは、上述した成形層２１と同様の材料により構成される。換言すると成形層２１Ｄは、その一方の主面側の全面に亘って成形部４３Ｄが成形される構成である。
【００９６】
複数の突起部５１は、同一の高さに構成される。例えば、複数の突起部５１は、主面が平坦な膜状に形成された樹脂材料からなる基材の一方の主面を切削加工又はレーザー描画機を用いた加工により構成される。
【００９７】
被覆層２３Ｄは、成形層２１側に設けられた第１被覆層２３ｃと、表示体１２Ｄの主面側に設けられた第２被覆層２３ｄと、を備えている。
【００９８】
第１被覆層２３ｃ及び第２被覆層２３ｄは、透明または半透明な材料により構成される。
【００９９】
第１被覆層２３ｃ及び第２被覆層２３ｄは、異なる屈折率を有する材料により構成される。また、第１被覆層２３ｃは、並列に形成された複数の突起部５１の間の溝７３の約半分の深さを埋めるように設けられる。第１被覆層２３ａ及び第２被覆層２３ｂは、一体に積層される。
【０１００】
第１被覆層２３ｃの第２被覆層２３ｄとの境界面は、面方向が光の入射方向に対して直交する方向に延設する平坦状に構成される。また、第２被覆層２３ｄの主面は、面方向が光の入射方向に対して直交する方向に延設する平坦状に構成される。
【０１０１】
第１被覆層２３ｃは、例えば、超微細なインクジェット装置等により形成することができる。
【０１０２】
このような構成を有する表示体１２Ｄは、表示体１２Ｄの主面に対して垂直に入射した光の反射方向を制御することができる。
【０１０３】
具体的には、図１２に示すように、突起部５１は、反射層２２が設けられた１つの傾斜面に第１被覆層２３ｃで覆われた部分と第２被覆層２３ｄで覆われた部分とを有している。
【０１０４】
このため、第２被覆層２３ｄのみを透過して傾斜面７１に設けられた反射層２２で反射する光Ｌと、第２被覆層２３ｄを透過した後に第１被覆層２３ｃを透過して傾斜面７１に設けられた反射層２２で反射する光Ｌとは、それぞれ光の反射方向が異なる。
【０１０５】
このように、１つの傾斜面７１において、２つの方向に光Ｌの反射方向を制御することができるため、複数の突起部５１の傾斜角度を変えることなく観察者に異なった見え方を提供することができる。
【０１０６】
なお、本発明は上述した各実施形態に限定されない。例えば、表示体は、上述した第４の実施形態に係る表示体１２Ｃの被覆層２３Ｃ及び第５の実施形態に係る表示体１２Ｄの被覆層２３Ｄを組み合わせる構成であってもよい。即ち、図１３及び図１４に示す第６の実施形態に係る表示体１２Ｅの構成のように、成形層２１Ｅは、異なる屈折率を有する第１被覆層２３ｅ、第２被覆層２３ｆ、第３被覆層２３ｇ、第４被覆層２３ｈを、成形層２１Ｅの面方向及び厚み方向で配置する構成であってもよい。
【０１０７】
このように構成することで、第２被覆層２３ｆのみを透過して傾斜面７１に設けられた反射層２２で反射する光Ｌと、第２被覆層２３ｆを透過した後に第１被覆層２３ｅを透過して傾斜面７１に設けられた反射層２２で反射する光Ｌと、第４被覆層２３ｈのみを透過して傾斜面７１に設けられた反射層２２で反射する光Ｌと、第４被覆層２３ｈを透過した後に第３被覆層２３ｇを透過して傾斜面７１に設けられた反射層２２で反射する光Ｌとは、それぞれ光の反射方向を異ならせることができる。
【０１０８】
また、上述した第４の実施形態に係る表示体１２Ｃにおいては、異なる屈折率を有する二つの被覆層２３ａ、２３ｂを用いることで、二値画像とし、情報Ｖを表示する構成を説明したがこれに限定されない。例えば、３以上の異なる屈折率を有する被覆層を設けることで、多値画像とする構成であってもよい。
【０１０９】
また、表示体１２は、情報印刷物１に接着層２４を介して貼付する構成を説明したがこれに限定されず、表示体１２を情報印刷物１に直接設ける構成であってもよい。即ち、情報印刷物の印刷層の一部又は全部に成形層、反射層及び被覆層を設けることで、直接特別な視覚効果を持たせても良い。換言すると、表示体は、成形層の他方の主面に情報印刷物を構成するカード部を一体に設ける構成としてもよい。例えば、このような情報印刷物は、トレーディングカード等に用いることができる。
【０１１０】
また、上述した例では、情報印刷物１は、カード部１１を設ける構成を説明したが、紙幣や有価証券等の紙葉類であってもよい。即ち、情報印刷物１は、表示体が直接設けられるか又は貼付される基部がカード状であってもシート状であっても、他の形状であってもよい。この他、本発明の要旨を逸脱しない範囲で、種々変形実施可能である。
【符号の説明】
【０１１１】
１…情報印刷物、１１…カード部、１２、１２Ａ、１２Ｂ、１２Ｃ、１２Ｄ、１２Ｅ…表示体、２１、２１Ａ、２１Ｂ、２１Ｃ、２１Ｄ、２１Ｅ…成形層、２２…反射層、２３、２３Ｃ、２３Ｄ、２３Ｅ…被覆層、２３ａ…第１被覆層、２３ｂ…第２被覆層、２３ｃ…第１被覆層、２３ｄ…第２被覆層、２３ｅ…第１被覆層、２３ｆ…第２被覆層、２３ｇ…第３被覆層、２３ｈ…第４被覆層、２３ｈ…第２被覆層、２４…接着層、３１…主面、４２…非成形部、４３、４３Ａ…成形部、５１、６１…突起部、５１Ａ…第１突起部、５１Ｂ…第２突起部、５１Ｃ…第３突起部、５１Ｄ…第４突起部、５２…疑似突起部、７１…傾斜面、７１Ａ…第１傾斜面、７１Ｂ…第２傾斜面、７１Ｃ…第３傾斜面、７１Ｄ…第４傾斜面、７２…垂直面、７３…溝、７３Ａ…第１溝、７３Ｂ…第２溝、７３Ｃ…第３溝、７３Ｄ…第４溝、７４…疑似傾斜面、８１Ａ、８１Ｂ…曲面（傾斜面）、１０１…第１領域、１０２…第２領域、１０３…第３領域、１０４…第４領域。
【図１】
2017161872.tif 000003
【図２】
2017161872.tif 000004
【図３】
2017161872.tif 000005
【図４】
2017161872.tif 000006
【図５】
2017161872.tif 000007
【図６】
2017161872.tif 000008
【図７】
2017161872.tif 000009
【図８】
2017161872.tif 000010
【図９】
2017161872.tif 000011
【図１０】
2017161872.tif 000012
【図１１】
2017161872.tif 000013
【図１２】
2017161872.tif 000014
【図１３】
2017161872.tif 000015
【図１４】
2017161872.tif 000016